(57)【特許請求の範囲】
【請求項１】
畳枠によって区画された床下地の上に敷設されたクッション材と、
前記畳枠との間に隙間が形成されるように、前記クッション材の上に敷設された床暖房マットまたは床暖房パネルと、
前記畳枠と前記床暖房マットまたは床暖房パネルとの間に形成された隙間を埋めるように、前記クッション材の上に敷設されたダミー部材と、
前記畳枠との間に概ね一定間隔の隙間が形成されるように、前記床暖房マットまたは床暖房パネルの上に敷設された畳と、
前記畳枠と前記畳との間に形成された隙間を埋めるように、前記ダミー部材の上に設置された畳周辺部材とを備え、
前記畳枠と前記畳周辺部材との間に僅かな隙間が形成されていることを特徴とする畳敷床構造。
【請求項２】
前記畳枠の内面に当接するように、前記畳周辺部材の上面に貼着された幅狭の周辺見切材を備え、
前記周辺見切材は、柔軟性を有する素材によって形成されている請求項１に記載の畳敷床構造。
【請求項３】
前記畳周辺部材は、基材と、前記基材の上面に別工程で貼着される表面材とから構成されている請求項１または２に記載の畳敷床構造。
【請求項４】
前記畳周辺部材を構成している前記基材は、易切断可能な素材によって形成されている請求項１、２または３に記載の畳敷床構造。
【発明の詳細な説明】
【０００１】
【発明の属する技術分野】
この発明は、集合住宅や一戸建住宅における和室等に採用される畳敷床構造に関する。
【０００２】
【従来の技術】
一般的に畳敷床が採用される和室では、敷き込む畳の枚数によってその広さが概ね定められているが、大工工事によって出来上がる和室には、どうしても寸法誤差が生じたり、コーナ部の直角がでないことが多いので、予め、所定寸法の畳を作製しておき、これを、出来上がった和室に敷き込もうとすると、畳枠と敷き込まれた畳との間に隙間が生じたり、逆に、畳が畳枠の内側に入らなかったりする場合がある。
【０００３】
従って、和室の場合は、大工工事によって部屋が出来上がった後に、その部屋における畳枠の実際の内寸を採寸し、採寸された畳枠の寸法にあわせて畳を作製せざるを得ず、部屋が出来上がってから畳を敷き込むまでにある程度の時間を要することになるので、工期が長くなると共に、畳自体を規格生産することができないので、畳の製作コストが高くなるという問題があった。
【０００４】
こういった問題を解決するために、通常の畳より一回り小さい所定の寸法に予め作製された規格畳を使用することによって、畳枠と敷き込まれた規格畳との間に強制的に隙間を形成し、この隙間に畳周辺部材を挿入することによって、畳枠の寸法誤差を吸収するようにした畳敷床構造が提案されている。
【０００５】
【発明が解決しようとする課題】
ところで、上述したような規格畳を用いた畳敷床構造を採用する場合において、断熱性能を高めたり、床暖房を行うために、床下地の上に断熱材のようなクッション材を敷設する場合は、上述した隙間調整用の畳周辺部材がクッション材の上に直接または他の部材を介して設置されることになるが、設置された畳周辺部材を人が踏むと、畳周辺部材の下側に位置しているクッション材の存在によって畳周辺部材が沈み込むので、畳周辺部材の外面と畳枠の内面とが擦れあって軋み音が発生するといった問題がある。
【０００６】
そこで、この発明の課題は、畳枠と畳との間に畳周辺部材を設置する畳敷床構造において、床下地の上に断熱材のようなクッション材を敷設した場合でも、軋み音の発生しない畳敷床構造を提供することにある。
【０００７】
【課題を解決するための手段及びその効果】
上記の課題を解決するため、請求項１にかかる発明は、
畳枠によって区画された床下地の上に敷設されたクッション材と、前記畳枠との間に隙間が形成されるように、前記クッション材の上に敷設された床暖房マットまたは床暖房パネルと、前記畳枠と前記床暖房マットまたは床暖房パネルとの間に形成された隙間を埋めるように、前記クッション材の上に敷設されたダミー部材と、前記畳枠との間に概ね一定間隔の隙間が形成されるように、前記床暖房マットまたは床暖房パネルの上に敷設された畳と、前記畳枠と前記畳との間に形成された隙間を埋めるように、前記ダミー部材の上に設置された畳周辺部材とを備え、前記畳枠と前記畳周辺部材との間に僅かな隙間が形成されていることを特徴とする畳敷床構造を提供するものである。
【０００９】
以上のように、請求項１にかかる発明の畳敷床構造では、畳枠と畳との間の隙間を埋めるように、クッション材の上に直接またはダミー部材を介して設置された畳周辺部材によって、畳枠に生じた寸法誤差を確実に吸収することができるので、予め所定の寸法に作製された規格畳を使用することが可能となり、工期の短縮と畳の製作コストの削減を図ることができる。
【００１０】
また、上述したそれぞれの畳敷床構造では、クッション材の上に直接またはダミー部材を介して設置された畳周辺部材と畳枠との間に僅かな隙間が形成されているので、人が踏むことによって畳周辺部材が沈み込んだような場合であっても、畳周辺部材の外面と畳枠の内面とが擦れあって軋み音が発生することがなく、しかも、畳周辺部材と畳枠との間にゴミ等が入りにくいので、畳敷床の美観が損なわれることもない。特に、規格畳を使用した、軋み音の発生しない畳敷床構造の床暖房フロアを実現することができる。
【００１１】
また、上述したそれぞれの畳敷床構造では、床下地の上にクッション材が敷設されているので、その上に敷設される畳自体を薄くして軽量化を図ることができ、これによって、畳の搬送や交換が容易になるという効果も得られる。
【００１２】
特に、請求項２にかかる発明の畳敷床構造のように、前記畳枠の内面に当接するように、前記畳周辺部材の上面に貼着された幅狭の周辺見切材を備え、前記周辺見切材が、柔軟性を有する素材によって形成されているものにあっては、畳周辺部材と畳枠との間に形成された隙間が周辺見切材によって完全に隠蔽されるので、意匠性が向上し、しかも、周辺見切材が柔軟性を有する素材によって形成されているので、畳枠と接触している周辺見切材が畳周辺部材と共に沈み込んでも、軋み音が発生することはない。
【００１３】
また、請求項３にかかる発明の畳敷床構造のように、前記畳周辺部材を、前記基材と、前記基材の上面に、別工程で貼着される表面材とによって構成したものにあっては、基材を床下地にビス止めした後、その基材の上面に表面材を貼着することによって、外観を損なうことなく、畳周辺部材を床下地に確実に固定することができる。
【００１４】
また、請求項４にかかる発明の畳敷床構造のように、前記畳周辺部材を構成している前記基材が、易切断可能な素材によって形成されているものにあっては、畳枠と畳との間の隙間にあわせて畳周辺部材を切断する際、鋸を使用しなくても、カッタ等によって簡単に切断することができるので、現場における施工性が向上する。
【００１５】
【発明の実施の形態】
以下、実施の形態について図面を参照して説明する。図１及び図２に示すように、この畳敷床構造１は、大引１１の上に直交するように、一定間隔で並列的に配設された根太１２と、この根太１２の上に敷設された合板等からなる床下地材１３とによって床下地が形成されており、この床下地は、床下地材１３の上面に固定された畳枠１４によって、畳敷設領域が区画されている。
【００１６】
前記床下地材１３の上には、畳枠１４によって区画された畳敷設領域を覆うように、厚さ２７〜３２ｍｍの発泡スチロールによって形成された、断熱性を有するクッション材２１が敷設されており、このクッション材２１の上には、発泡スチロールによって形成されたクッション性を有するマット基材の上面側に、温水を通すためのチューブが埋設された厚さ１２ｍｍの温水式の床暖房マット２２が畳枠１４との間に隙間が形成されるように敷設されていると共に、床暖房マット２２と畳枠１４との間の隙間を埋めるように、発泡スチロールによって形成された、床暖房マット２２と略同一厚みのダミー部材２３が敷設されている。
【００１７】
この床暖房マット２２及びダミー部材２３の上には、畳敷設領域を区画している畳枠１４との間に概ね一定間隔の隙間が形成されるように、厚さ１０ｍｍと通常の畳より薄く、しかも、一回り小さい所定の寸法に予め作製された複数枚の規格畳３０が、きっちりと並べて組にした状態で敷設されている。
【００１８】
床暖房マット２２の上に敷設された規格畳３０と畳枠１４との間には、内側面が規格畳３０の外側面に接触すると共に、外側面と畳枠１４の内面との間に数ｍｍ程度の隙間が形成されるように、ダミー部材２３の上に畳周辺部材４０が設置されており、この畳周辺部材４０の上面には、幅方向の一方の側端が畳枠１４の内面に当接するように、厚さ１ｍｍの軟質樹脂シートによって形成された帯状の周辺見切材５０が両面粘着テープを介して貼着されている。
【００１９】
前記畳周辺部材４０は、図３（ａ）、（ｂ）に示すように、木質化粧板４２の裏面に両面粘着テープ４３が貼着された厚さ３ｍｍの表面材４１と、厚さ７．５ｍｍの発泡スチロール層４５、厚さ１．５ｍｍの合板層４６及びアルミニウム箔４７からなる積層体によって形成された厚さ９ｍｍの基材４４とから構成されており、前記基材４４が、床下地材１３との間にクッション材２１及びダミー部材２３を挟み込むように、その上面側から床下地材１３にビス止めされ、そのビス止めされた基材４４の上面に表面材４１が両面粘着テープ４３を介して貼着されている。
【００２０】
以上のような構造の畳敷床を施工するには、まず、図４に示すように、畳枠１４によって区画された畳敷設領域の全面にクッション材２１を敷設した後、このクッション材２１の上に床暖房マット２２及びダミー部材２３を敷設する。続いて、図５に示すように、上述した規格畳３０を、隣接する規格畳３０間に隙間が形成されないように、複数枚の規格畳３０を所定のパターンで並べて組にした状態で床暖房マット２２の上に敷設する。このとき、畳枠１４との間に概ね一定間隔の隙間が形成されるような位置に規格畳３０を敷設する必要がある。
【００２１】
次に、敷設された規格畳３０と畳枠１４との間に形成された隙間形状にあわせて畳周辺部材４０を形成するが、その幅寸法は、規格畳３０と畳枠１４との間の隙間の幅寸法よりも数ｍｍ程度小さくしておく。具体的には、上述した表面材４１及び基材４４と同一構造の表面材形成用板材及び基材形成用板材を、上述したように、規格畳３０と畳枠１４との間に形成された隙間形状にあわせてそれぞれ切断することによって、表面材４１と基材４４とを個別に形成することになる。
【００２２】
そして、このようにして所定形状に形成された基材４４を、図６に示すように、敷設された規格畳３０の側面に接触させるように、敷設された規格畳３０と畳枠１４との間に形成された隙間内に配置した状態で、基材４４を床下地材１３にビス止めした後、この基材４４の上面に、先に形成した表面材４１を、両面粘着テープ４３を介して貼着する。表面材４１及び基材４４は、上述したように、その幅寸法が、規格畳３０と畳枠１４との間の隙間の幅寸法よりも数ｍｍ程度短く形成されているので、畳枠１４と畳周辺部材４０との間には数ｍｍ程度の隙間が形成されることになる。
【００２３】
最後に、この畳周辺部材４０（表面材４１）の上面に、周辺見切材５０を、側端縁が畳枠１４の内面に当接するように、両面粘着テープを介して貼着すると、図１及び図２に示す畳敷床が出来上がる。
【００２４】
以上のように、この畳敷床構造１では、通常の畳より一回り小さい寸法に予め作製された規格畳３０を、畳枠１４によって区画された畳敷設領域内に敷設することによって、畳枠１４と敷設された規格畳３０との間に強制的に隙間を形成し、この隙間形状に合わせて形成した畳周辺部材４０を、畳枠１４と規格畳３０との間に設置するようにしたので、部屋が出来上がった後に、その部屋における畳枠の実際の内寸を採寸し、採寸された畳枠の寸法にあわせて畳を作製する場合に比べて、工期が短縮され、畳の製作コストを削減することができる。
【００２５】
また、この畳敷床構造１では、ダミー部材２３の上に設置された畳周辺部材４０と畳枠１４との間に数ｍｍ程度の隙間が形成されているので、畳周辺部材４０部分を人が踏むことによって、畳周辺部材４０が沈み込んでも、畳周辺部材４０の外面と畳枠１４の内面とが擦れあうことがなく、しかも、畳周辺部材４０と畳枠１４との間の隙間を隠蔽している周辺見切材５０が柔軟性を有しているので、畳枠１４と接触している周辺見切材５０が畳周辺部材４０と共に沈み込んでも、軋み音が発生することはない。
【００２６】
また、この畳敷床構造１では、畳周辺部材４０を、表面材４１と基材４４とによって構成し、基材４４を床下地材１３にビス止めした後、この基材４４の上面に表面材４１を貼着するようにしているので、美観を損ねる固定用のビスが露出することなく、畳周辺部材４０を確実に所定位置に固定することができる。
【００２７】
また、畳周辺部材４０を構成している基材４４は、発泡スチロール層４５によって、その厚みを確保しているので、合板等の木質材料によって同一厚みの基材を形成した場合に比べて切断が容易であり、特に、鋸を使用しなくても、カッタ等によって十分切断することができるので、現場における施工性がよい。
【００２８】
なお、上述した実施形態では、畳枠１４と畳周辺部材４０との間の隙間を、畳周辺部材４０の上面に貼着した周辺見切材５０によって隠蔽するようにしているが、畳枠１４と畳周辺部材４０との間の隙間を０．５ｍｍ以下に抑えることができるのであれば、隙間が目立つことがなく、隙間にゴミ等も入りにくいので、特に、周辺見切材を使用しなくてもよい。
【００２９】
また、上述した実施形態では、切断を容易にするために、畳周辺部材４０を構成している基材４４を、発泡スチロール層４５を含む積層体によって形成しているが、これに限定されるものではなく、合板等の木質材によって基材を形成することも可能である。
【００３０】
また、畳周辺部材４０を構成している基材４４は、その表面にアルミニウム箔４７が貼着されているが、これは、両面テープ４３を介して貼着される表面材４１の接着性を確保するためであるので、例えば、木質化粧板からなる表面材を接着剤によって基材４４の表面に接着するのであれば、特にアルミニウム箔４７を設ける必要はない。
【００３１】
また、上述した実施形態では、畳周辺部材４０を構成している基材４４と表面材４１とを、施工段階で一体化するようにしているが、これに限定されるものではなく、基材と表面材とが予め一体化された畳周辺部材を使用することも可能であり、そのような畳周辺部材を使用する場合は、接着剤や両面粘着テープ等を用いてダミー部材２３の上面に固定すればよい。
【００３２】
また、上述した実施形態では、発泡スチロールによって形成されたクッション性を有するマット基材の上面側に、温水を通すためのチューブが埋設された温水式の床暖房マット２２を使用しているが、これに限定されるものではなく、合板等のクッション性を有していない基材に温水を通すためのチューブを埋設した床暖房パネルを使用することも可能である。
【００３３】
また、上述した実施形態では、畳枠１４と床暖房マット２２との間に形成された隙間に、発泡スチロールによって形成されたダミー部材２３を敷設しているが、これに限定されるものではなく、合板等の木質材によって形成されたダミー部材を使用することも可能である。
【００３４】
また、上述した実施形態では、畳敷床タイプの床暖房フロアについて説明したが、これに限定されるものではなく、本発明の畳敷床構造は、床下地の上にクッション材を介して畳を敷設するタイプの畳敷床についても適用することができることはいうまでもない。
【００３５】
また、上述した実施形態では、一戸建住宅における畳敷床構造について説明したが、これに限定されるものではなく、コンクリートスラブ等が床下地となる集合住宅についても、本発明の畳敷床構造を適用することによって、同様の効果を得ることができる。
【図面の簡単な説明】
【図１】この発明にかかる畳敷床構造の一実施形態を示す断面図である。
【図２】同上の畳敷床構造を示す一部切欠平面図である。
【図３】（ａ）は同上の畳敷床構造に使用される畳周辺部材を構成している表面材を示す断面図、（ｂ）は同上の畳周辺部材を構成している基材を示す断面図である。
【図４】同上の構造を有する畳敷床の施工方法を示す工程図である。
【図５】同上の構造を有する畳敷床の施工方法を示す工程図である。
【図６】同上の構造を有する畳敷床の施工方法を示す工程図である。
【符号の説明】
１  畳敷床構造
１１  大引
１２  根太
１３  床下地材
１４  畳枠
２１  クッション材
２２  床暖房マット
２３  ダミー部材
３０  規格畳
４０  畳周辺部材
４１  表面材
４２  木質化粧板
４３  両面粘着テープ
４４  基材
４５  発泡スチロール層
４６  合板層
４７  アルミニウム箔
５０  周辺見切材
【図１】
0004058946.tif 000002
【図２】
0004058946.tif 000003
【図３】
0004058946.tif 000004
【図４】
0004058946.tif 000005
【図５】
0004058946.tif 000006
【図６】
0004058946.tif 000007